(57)【特許請求の範囲】
【請求項１】
ガス供給口と点火装置及び炎検出用熱電対の取付用開口部を設けた環状部を有するコンロバーナと、前記環状部に載置し前記ガス供給口からのガス供給により火炎を形成するバーナキャップと、前記コンロバーナの略平坦部に設けた一つ以上の孔と、前記孔に嵌合する一つ以上のガイドを設けた起立片及び前記コンロバーナの略平坦部を係止する弾性を有する係止片及び前記点火装置や炎検出用熱電対を併設する取付金具を一体的に形成した取付板を備え、前記取付板のガイドと前記コンロバーナの孔の嵌合によりコンロバーナ及び点火装置、炎検出用熱電対の位置決めを行うようにしたガス調理機器。
【発明の詳細な説明】
【０００１】
【産業上の利用分野】
本発明はガス調理機器に使用される燃料ガスと一次空気とを混合するコンロバーナを固定する装置に関するものである。
【０００２】
【従来の技術】
従来この種のコンロバーナの取付けには、例えば図７に示したようにコンロバーナ１の周囲に設けた孔２、２に取付板３に設けた起立片４、４を立設し、前記孔２、２に下から挿入しこの起立片４の係止部先端に設けられた孔５、５へバネ材製のピン６を嵌合させていた。このようにピン６がコンロバーナ１を取付板３に挿入後に位置決め及び固定を行っていた。
【０００３】
また別な手段で同様にピンを使用するものとして（特開平３−７７３０号公報）がある。
【０００４】
【発明が解決しようとする課題】
しかしながら上記従来の構成では、コンロバーナ１を取付板３に嵌合させた後にピン６を挿入させねばならないので、装着作業に手間どり組立性に問題があった。またピン６の先端でけがをする可能性もあった。
【０００５】
一方ユーザーが煮汁等により汚れたコンロバーナ１の掃除や修理等のアフターサービス時にコンロバーナ１を取外し、再度取付けた時にピン６を付け忘れ、紛失してしまう可能性もある。またピン６が煮汁等の塩分により腐食して折れてしまうこともあり上述のようにピン６がない状態でコンロバーナ１を取付けた場合、コンロバーナ１が不安定な状態のまま取付けられることになり、点火装置の放電距離、及び炎検出用熱電対の位置が正確な位置に確保することが難しくなり点火、燃焼性能に影響をもたらす原因となっていた。
【０００６】
本発明は上記従来の課題を解決するもので、コンロバーナ固定時にピン等の固定金具を使用せず簡単な係止具によりコンロバーナを固定し、かつコンロバーナの正確な位置を確保することを目的とする。
【０００７】
【課題を解決するための手段】
前記の目的を達成するために、本発明のガス調理機器は、ガス供給口と点火装置及び炎検出用熱電対の取付用開口部を設けた環状部を有するコンロバーナと、前記環状部に載置し前記ガス供給口からのガス供給により火炎を形成するバーナキャップと、前記コンロバーナの略平坦部に設けた一つ以上の孔と、前記孔に嵌合する一つ以上のガイドを設けた起立片及び前記コンロバーナの略平坦部を係止する弾性を有する係止片及び前記点火装置や炎検出用熱電対を併設する取付金具を一体的に形成した取付板を備え、前記取付板のガイドと前記コンロバーナの孔の嵌合によりコンロバーナ及び点火装置、炎検出用熱電対の位置決めを行うようにしたものである。
【０００８】
【作用】
本発明は、上記した構成により、コンロバーナの孔と取付板のガイドとの嵌合によりコンロバーナは前後左右に位置決めされ、弾性を有する係止片でコンロバーナの略平坦部を覆うためコンロバーナの上下の位置規制ができるため、取付板の取付金具に併設した点火装置と炎検出用熱電対の位置関係を正確に確保することができ、さらに、従来使用していたピン等の固定金具なしでコンロバーナを取付板に固定し、正確な位置に確保することができる。
【０００９】
【実施例】
以下本発明の一実施例について図面を参照しながら説明する。なお、従来例と同一機能を有する部分には同一番号を附す。
【００１０】
図４および図５に示すようにコンロバーナ１は絞り加工した板金製で環状部７には真鍮製のバーナキャップ８を載設させることができる。環状部７にはガス供給口９が設けられ、ガス供給管１０より送られたガスをバーナキャップ８に供給する構造となっている。コンロバーナ１には上下に貫通する開口部１１が設けられ、この開口部１１には点火装置１２や炎検出用熱電対１３が併設され取付金具１４により取付けられる。この前記取付金具１４により支持された点火装置１２と炎検出用熱電対１３とコンロバーナ１とバーナキャップ８の位置を正確に確保することが点火等の性能を満足する重要な要素である。
【００１１】
コンロバーナ受け台１５に取付金具１４を取付け前記金具１４にはコンロバーナ１の略平坦部１８に設けた孔２、２に嵌合して支持する取付板１６をかしめや溶接等の接合方法により取付け、前記取付板１６とコンロバーナ１のガス供給管１０の先端に設けた流量調節部１７によりコンロバーナ１を支持する構成となっている。
【００１２】
図１および図２において図１はコンロバーナ１固定時の状態図で取付板１６には一対の起立片１９が立設されており、コンロバーナ１の略平坦部１８に設けた一対の孔２、２に前記起立片１９のガイド１９ｂが挿入される。そしてコンロバーナ１の略平坦部１８の下面を起立片１９の上面部９ａにより支持する。さらに取付板１６には係止片２０を設け前記係止片２０には斜めに切り起こした係止部２１と先端をカール状にした押さえ部２２とから構成される。
【００１３】
上記した構成によりコンロバーナ１に設けた孔２、２と取付板のガイド１９ｂによりコンロバーナ１は前後左右に位置決めされ係止部２１によりコンロバーナ１の略平坦部１８を覆うことにより上下に位置規制され、コンロバーナ１は正確な位置に固定される。また取付板１６には前述したように点火装置１２や炎検出用熱電対１３が取付けられた取付金具１４がかしめや溶接等により結合され、コンロバーナ１の開口部１１へと取付けられる。すなわち、ガイド１９ｂとコンロバーナ１の孔２、２の嵌合により、コンロバーナ１及び点火装置１２、炎検出用熱電対１３の位置が正確に決まるのである。
【００１４】
なお、一対のガイド１９ｂと一対のコンロバーナ１の孔２の嵌合によりコンロバーナ１の左右の位置は決まるわけだが、図６に示すように、一対の起立片１９の幅よりややコンロバーナ１の孔２の幅を狭く孔２に挿入しやすいようにガイド１９ｂの先端を曲げ、嵌合させれば弾性により起立片１９が外側に押しやられるためガイド１９ｂの外側面と孔２の内面が押し当てられコンロバーナ１は左右のガタなしに正確に位置決めできる。
【００１５】
一方、本発明のコンロバーナ取付装置の着脱方法であるが、図３に示すように、コンロバーナ１の孔２を上から取付板１６のガイド１９ｂに挿入するわけだが、その際に取付板１６の係止片２０の斜めに切り起こして滑りやすくした係止部２１とコンロバーナ１の略平坦部１８が当たり、弾性を利用して倒れる。そしてコンロバーナ１を押し続けることによりさらに係止片２０は倒れ前記略平坦部１８が係止部２１を通過したら係止片２０は弾性により元の位置に戻り、係止部２１によりコンロバーナ１の略平坦部１８を覆うのである。またコンロバーナ１を取外す場合は、端面により怪我を防止するために、カール部２２を設け、前記カール部を押さえ、係止部２１がコンロバーナ１の略平坦部１８に当たらない位置まで弾性により係止片２０を倒しコンロバーナ１を取外すのである。
【００１６】
【発明の効果】
以上のように本発明の構成によれば、次の効果が得られる。
【００１７】
（１）弾性を持った係止片とガイドを有する取付板によって従来使用していたピン等の固定金具無しでコンロバーナを固定できるためピンの先端で怪我をする危険性もなくなり、またコンロバーナの装着が容易になり組立性が良くなる。また掃除や修理時にコンロバーナを取外し、再取付けした際にピンつけ忘れ、紛失、また煮汁等の塩分によりピンが腐食して折れてしまうといった、コンロバーナがピン等の固定金具無しの不安定な状態で取付けられることを防止することができる。
【００１８】
（２）ユーザ等によっても容易に取付け取外しができ、再取付け時確実にコンロバーナを固定できるため点火装置や熱電対といった燃焼関連部材を所定の位置に確実に確保できる。
【００１９】
（３）ガイドとコンロバーナの孔との嵌合によりコンロバーナは前後左右に位置決めされ、さらに弾性のある係止片と取付板の支持部によりコンロバーナの上下の位置規制ができるため、コンロバーナの位置を正確に確保できる、すなわちコンロバーナに付随する点火装置、炎検出用熱電対の所定位置を確実に確保できる。
【図面の簡単な説明】
【図１】本発明の一実施例のガス調理機器のコンロバーナ部の断面図
【図２】同ガス調理機器のコンロバーナと取付金具との斜視図
【図３】同ガス調理機器のコンロバーナ部の作動図
【図４】同ガス調理機器のコンロバーナの上面図
【図５】同ガス調理機器のコンロバーナの側面図
【図６】（ａ）同ガス調理器のコンロバーナへの取付金具の取付け方を示す断面側面図
（ｂ）同ガス調理器のコンロバーナと取付金具との関係を示す一部断面上面図
【図７】従来のガス調理機器のコンロバーナ部の斜視図
【符号の説明】
１４  取付金具
１６  取付板
１８  略平坦部
１９  起立片
１９ｂ  ガイド
２０  係止片
２１  係止部
【図１】
0003694903.tif 000002
【図２】
0003694903.tif 000003
【図３】
0003694903.tif 000004
【図４】
0003694903.tif 000005
【図５】
0003694903.tif 000006
【図６】
0003694903.tif 000007
【図７】
0003694903.tif 000008